(57)【要約】構造を汚染除去し特徴づけるためのシステムは、構造の内部及び外部の表面を除去するために、汚染除去モジュールが使われることで提供される。汚染除去モジュールは、内部の空間、又は、達することが困難な他の構形状の表面を除去することができる。構造の汚染された部分は、処分用のコンテナーに集められる破片として除去される。このシステムは、さらに、グリッドブラスティングの後に構造を分析するために特性記述モジュールを備えていてもよい。特性記述モジュールは、ロー・レベルの汚染された浪費又は他のカテゴリーとして再使用、使い捨てにふさわしいものとして構造を分類するために使用される特性記述情報を開発する。【特許請求の範囲】
【請求項１】
入り口及び出口を有する小屋；
小屋の入り口から小屋の出口まで及ぶコンベアー；
構造の外部の表面に研磨剤を使用するために適応されたグリッドブラスターを含み、コンベアーの第一の部分の近くの小屋の内部に配置されたステーションを除去する外部の表面；
構造の内部の表面に研磨剤を使用するために適応された移動可能なランスを含み、コンベアーの第二の部分の近くの小屋の内部で配置されたステーションを除去する内部の表面；並びに
費やされた研磨剤及び離れた表面破片を集めるために小屋の底に位置された収集場
からなる外部と内部の表面を有する構造を汚染除去するための装置。
【請求項２】
グリッドブラスターは、多数の遠心力を利用した爆破する車輪を備えている請求項１の装置。
【請求項３】
ステーションを除去する内部の表面は、構造の端を取るために位置された上昇台を含み、
上昇台は、構造が傾斜角度で適応させられるように高台へ移動可能であり、
ランスは、充分な傾斜角度に適応させられている請求項１の装置。
【請求項４】
ステーションを除去する内部の表面は、さらに、構造を回転させるために電動車輪を備えている請求項３の装置。
【請求項５】
収集場は、ねじ駆動コンベアーを備えている請求項１の装置。
【請求項６】
グリッドブラスターは、のせるホッパーを備え、
また、収集場は、さらに、ねじ駆動コンベアーから費やされた研磨剤を受け取り、かつ、のせるホッパーへ費やされた研磨剤を放出するために適応されたバケツ・エレベータを備えている請求項５の装置。
【請求項７】
さらに、小屋を有する換気モジュール、
小屋に配置され、また、汚染除去する装置小屋の内部と流動性伝達で入り口及び大気に排出する出口を有するファン、
並びに、小屋の内部で、及び、ファンの入り口の上方に流動性伝達で位置されている空輸された微粒子の除去剤
からなる請求項１の装置。
【請求項８】
入り口及び出口を有する小屋を備えた汚染除去モジュール、小屋の入り口から小屋の出口まで及ぶコンベアー、構造の外部の表面に研磨剤を使用するために適応されたグリッドブラスターを含み、コンベアーの第一の部分の近くの小屋の内部に配置されたステーションを除去する外部の表面、構造の内部の表面に研磨剤を使用するために適応された移動可能なランスを含み、コンベアーの第二の部分の近くの小屋の内部で配置されたステーションを除去する内部の表面、費やされた研磨剤及び離れた表面破片を集めるための収集場；並びに
汚染除去モジュールの下方に位置され、入り口及び出口を有する小屋を備えている特性記述モジュール、小屋の入り口から小屋の出口まで及ぶコンベアー、小屋の内部に位置され、また、構造の内部及び外部の表面の両方に放射能汚染を発見し、かつ、汚染データを生成する材料アナライザー、並びに、汚染データの解釈し、かつ、特性記述情報を生成するために材料アナライザーに電気的に接続されたコンピュータ
のシステムからなる、内部と外部の表面を有する、放射能で汚染された構造を汚染除去し特徴づけるための汚染除去及び特性記述システム。
【請求項９】
材料アナライザーは、構造から放射された放射線に反応する多くの検知器を備えている請求項８のシステム。
【請求項１０】
各検知器は、放射性核種から放射されたガンマ線に反応する広いエネルギー・ゲルマニウム検知器を備えている請求項９のシステム。
【請求項１１】
コンピュータは、特性記述情報を生成するために汚染データを格納されたリリース範囲と比較するためにソフトウェアを備えている請求項８のシステム。
【請求項１２】
さらに、小屋を有する換気モジュール、
小屋に配置され、また、汚染除去するモジュール小屋の内部と流動性伝達で入り口及び大気に排出する出口を有するファン、
並びに、小屋の内部で、及び、ファンの入り口の上方に流動性伝達で配置されている空輸された微粒子の除去剤
からなる請求項８の装置。
【請求項１３】
入り口及び出口を有する小屋を備えた汚染除去モジュール、小屋の入り口から小屋の出口まで及ぶコンベアー、構造の外部の表面に研磨剤を使用するために適応されたグリッドブラスターを含み、コンベアーの第一の部分の近くの小屋の内部に配置されたステーションを除去する外部の表面、構造の内部の表面に研磨剤を使用するために適応された移動可能なランスを含み、コンベアーの第二の部分の近くの小屋の内部で配置されたステーションを除去する内部の表面、費やされた研磨剤及び離れた表面破片を集めるための収集場；
汚染除去モジュールの下方に位置され、入り口及び出口を有する小屋を備えている特性記述モジュール、小屋の入り口から小屋の出口まで及ぶコンベアー、小屋の内部に位置され、また、構造の内部及び外部の表面の両方に放射能汚染を発見し、かつ、汚染データを生成する材料アナライザー、並びに、汚染データを解釈し、かつ、特性記述情報を生成するために材料アナライザーに電気的に接続されたコンピュータ；
特性記述情報を得て、かつ、特性記述情報に関連した収集ポイントにパイプを向けて適応するソータを有する特性記述モジュールの下方に配置された換気モジュール；及び
小屋を有する換気モジュール、小屋に配置され、また、汚染除去するモジュール小屋の内部と流動性伝達で入り口及び大気に排出する出口を有するファン、
並びに、小屋の内部で、及び、ファンの入り口の上方に流動性伝達で位置されている空輸された微粒子の除去剤
のシステムからなる、内部の表面と外部の表面を有する、パイプを汚染除去し特徴づけるために統合汚染除去及び特性記述システム。
【請求項１４】
グリッドブラスターは、多数の遠心力を利用した爆破する車輪を備えている請求項１３のシステム。
【請求項１５】
ステーションを除去する内部の表面は、構造の端を取るために位置された上昇台を含み、
上昇台は、構造が傾斜角度で適応させられるように高台へ移動可能であり、ランスは、充分な傾斜角度に適応させられている請求項１３の装置。
【請求項１６】
ステーションを除去する内部の表面は、さらに、構造を回転させるために電動車輪を備えている請求項１５の装置。
【請求項１７】
収集場は、ねじ駆動コンベアーを備えている請求項１３の装置。
【請求項１８】
グリッドブラスターは、のせるホッパーを備え、
また、収集場は、さらに、ねじ駆動コンベアーから費やされた研磨剤を受け取り、かつ、のせるホッパーへ費やされた研磨剤を放出するために適応されたバケツ・エレベータを備えている請求項１７の装置。
【請求項１９】
材料アナライザーは、構造から放射された放射線に反応する多くの検知器を備えている請求項１３のシステム。
【請求項２０】
各検知器は、放射性核種から放射されたガンマ線に反応する広いエネルギー・ゲルマニウム検知器を備えている請求項１９のシステム。
【請求項２１】
コンピュータは、特性記述情報を生成するために汚染データを格納されたリリース範囲と比較するためにソフトウェアを備えている請求項１３のシステム。
【請求項２２】
係合するために位置され、パイプは傾斜角度で適応させられるようにパイプの端を持ち上げるエレベータ・メカニズム；
パイプを回すために回転し、パイプの外部の表面を取るために適応されたエレベータ・メカニズムに関連した電動車輪；
傾斜角度で充分に支持され、内部の表面に研磨剤を向けるために、パイプへ移動可能であるランス
からなるパイプの内部の表面を除去するための装置。
【発明の詳細な説明】
【０００１】
（発明の分野）
本発明は、一般に汚染除去方法及び装置に関し、特に、大きな穴を有するパイプの汚染された外部及び内部の表面、並びに、構造用鋼要素の外部の表面を除去する方法及び装置に関する。
【０００２】
（発明の背景）
汚染された構造の適切な汚染除去又は処分は、進行中の問題である。放射線の環境下で使用されるパイプは、例えば、ウラニウムのようなパイプを汚染する放射性の物質にしばしば露出される。したがって、汚染されたパイプがもはや使用されていないとき、それは放射性廃棄物として扱われなければならない。あるタイプのサイト又は処分セルだけは、放射性廃棄物を受け取るのに適している。処分セルを構築することは高価であり、また、制限のあるホールディング能力がある。制限のある能力は、パイプを含む、処分を要求する放射能で汚染された浪費の残務を生成した。より放射線に汚染されたサイトが、よわめられ、はずされるとともに、残務が著しく多くなると予想される。
【０００３】
不運にも、パイプのような構造は、処分セルに効率的に配置されない。もしセルに直接配置されれば、パイプは、利用可能なスペースを浪費するセルの中で空間を作り、セルに潜在的に不安定につめこむことになる。空間を最小限にするために、パイプは、半分にされるか、又は、グラウト材料で満たされてもよい。これらのどちらのアプローチは、しかしながら、特に多くのパイプを処理するとき、実行するのに集中的で、過度に高価である労働である。
【０００４】
処分を指図する１つの代案は、低いレベルの放射性の物質として再使用又は処分用の構造を修理調整することである。このアプローチは、それが再使用にふさわしいならば、有効に構造を再利用する潜在的な利益を持ち、そのために、資源を保存する。修理調整された構造のためのセットの質基準を要求する、放射性のパイプの修理調整に適用可能な多くの規則が存在する。典型的には、修理調整された構造は、ホワイトに近いメタルにならなければならない。その結果、多くの現在の表面を除去する方法及び装置が、放射性のパイプの修理調整に適応していない。さらに、それは、修理調整の設備を持ち運び可能とすることは重要であり、その結果、修理調整は、サイト上で実行されてもよい。この要求は、容易に輸送されない追加の既知の表面を除去する方法を削除する。
【０００５】
さらに、持ち運び可能で、必要な終了を提供する方法は、多くの場合過度に厄介で、使用することが困難である。汚染された構造がパイプであるとき、内部の表面及び外部の表面の両方は、しばしば汚染される。現在、外部のパイプの表面を汚染除去するために、ＲＯＴＯ ＰＥＥＮＴＭスケーラのような手で握られる汚染除去道具が使用されている。内部のパイプの表面の汚染除去は、典型的には汚染された部分を除去するために化学薬品の使用を要求する。従来のパイプの修理調整は、したがって過度に困難で、化学薬品の使用、取り扱い及び掃除を含んでいる。
【０００６】
パイプのような構造の表面を除去した後に、もしあれば汚染のままであるレベルを決定するために分析され、適切に特徴づけられなければならない。表面の除去のように、修理調整された構造の形状は、さらに構造特性記述の困難さを増加させるかもしれない。パイプを分析する現在既知の１つの方法は、構造の様々な表面部分から得るために、サンプル見解、又は、「スワイプス」を要求する。スワイプスは、典型的には分野で得られ、フィールド道具によって解釈されるか、液体のシンチレーション計数器のようなベンチ・トップ設備によってスワイプスが見解される研究所に持っていかれる。この方法は、過度に高価で、重要な量のターンアラウンド・タイムを要求する。
【０００７】
（発明の詳細な説明）
本発明の一形態にしたがって、装置は、外部及び内部の表面を有する構造を汚染除去するために提供される。その装置は、入り口及び出口を有する小屋、並びに、小屋の入り口から小屋の出口まで及ぶコンベアーを備えている。ステーションを除去する外部の表面は、コンベアーの第一の部分の近くの小屋の内部で配置され、構造の外部の表面に研磨剤を使用するために適応されたグリッドブラスターを含んでいる。ステーションを除去する内部の表面は、コンベアーの第二の部分の近くの小屋の内部で配置され、構造の内部の表面に研磨剤を使用するために適応された移動可能なランスを含んでいる。収集場は、費やされた研磨剤及び除去された表面破片を集めるための小屋の底に位置する。
【０００８】
本発明の他の形態にしたがって、汚染除去及び特性記述システムは、内部及び外部の表面を有する、放射能で汚染された構造を汚染除去し特徴づけるために提供される。システムは、入り口及び出口を有する小屋がある汚染除去モジュール、並びに、小屋の入り口から小屋の出口まで及ぶコンベアーを備えている。ステーションを除去する外部の表面は、コンベアーの第一の部分の近くの小屋の内部に配置され、ステーションを除去する外部の表面は、構造の外部の表面で研磨剤を使用するために適応されたグリッドブラスターを含んでいる。ステーションを除去する内部の表面は、コンベアーの第二の部分の近くの小屋の内部で配置され、ステーションを除去する内部の表面は、構造の内部の表面で研磨剤を使用するために適応された移動可能なランスを含んでいる。収集場は、費やされた研磨剤及び離れた表面破片を集めるために小屋にある。特性記述モジュールは、汚染除去モジュールの下方に位置し、入り口及び出口を有する小屋、並びに、小屋の入り口から小屋の出口まで及ぶコンベアーを備えている。材料アナライザーは、小屋の内部に位置し、材料アナライザーは、構造の内部及び外部の表面の両方の放射能汚染を発見し、また、汚染データを生成する。コンピュータは、汚染データの解釈及び特性記述情報の生成のために材料アナライザーに電気的に接続される。
【０００９】
本発明のさらなる他の形態にしたがって、統合汚染除去及び特性記述システムは、内部の表面及び外部の表面を有するパイプを汚染除去し特徴づけるために提供される。システムは、入り口及び出口を有する小屋がある汚染除去モジュール、並びに、小屋の入り口から小屋の出口まで及ぶコンベアーを備えている。ステーションを除去する外部の表面は、コンベアーの第一の部分の近くの小屋の内部に配置され、ステーションを除去する外部の表面は、構造の外部の表面で研磨剤を使用するために適応されたグリッドブラスターを含んでいる。ステーションを除去する内部の表面は、コンベアーの第二の部分の近くの小屋の内部に位置され、ステーションを除去する内部の表面は、構造の内部の表面で研磨剤を使用するために適応された移動可能なランス、並びに、費やされた研磨剤及び離れた表面破片を集める収集場を含んでいる。特性記述モジュールは、汚染除去モジュールの下方に位置し、また、入り口及び出口を有する小屋、並びに、小屋の入り口から小屋の出口まで及ぶコンベアーを備えている。材料アナライザーは、小屋の内部に位置し、材料アナライザーは、構造の内部及び外部の表面の両方の放射能汚染を発見し、汚染データを生成する。コンピュータは、汚染データの解釈及び特性記述情報の生成のために材料アナライザーに電気的に接続されている。換気モジュールは、特性記述モジュールの下方に位置し、また、特性記述情報を得て、かつ、特性記述情報に関連した収集ポイントにパイプを向けるために適応したソータを備えている。換気モジュールは、小屋、小屋に配置され、汚染除去モジュール小屋の内部と流動性伝達の入り口及び大気に排出する出口を備えているファン、並びに、小屋の内部及びファンの入り口の流動性伝達の上方に位置した空輸される微粒子の除去剤を備えている。
【００１０】
本発明のまださらなる他の一形態にしたがって、装置は、パイプの内部の表面を除去するために提供される。装置は、パイプが傾斜角度で適応させられるように、パイプの端を係合し、取り上げるために位置したエレベータ・メカニズムを含んでいる。電動車輪は、エレベータ・メカニズムに関係していて、パイプの外部の表面を取るために適応され、電動車輪はパイプを回すために回転する。内部の表面に研磨剤を向けるために、ランスは、傾斜角度で充分に支持され、パイプ内へ移動可能である。
【００１１】
他の特徴及び利点は、要求され、記載された装置に本来的であり、又は、次の詳細な記述及びその伴う図面から当業者に明白になる。
【００１２】
（実施例の詳細な説明）
発明にしたがって構築された統合汚染除去及び特性記述システム１０は、図１で一般に示され、また、図２で概略的に描かれる。以下に詳細に説明されるように、汚染除去システムは、パイプ１２を含む、汚染された構造用鋼を処理するために使用される。汚染除去システム１０は、破片としてパイプ１２の外部及び内部の表面を除去する汚染除去モジュールｌ４、破片を集めるための換気モジュール１６、汚染除去モジュール１４によって生成された費やしたものを清潔にするメディア、外部と内部の表面が除去された後パイプ汚染のままでレベルを分析する特性記述モジュール１８、並びに、特性記述モジュール１８から受け取られた情報にしたがって汚染除去されたパイプ又は構造用鋼要素を分離する荷を降ろすモジュール２０を備えている。一方、システム１０は、 パイプｌ２を汚染除去するように例証され、システム１０は、アイビーム、チャンネル及び角度のような種々様々の形で形成された構造を汚染除去することができることが認識される。さらに、構造を汚染除去するために汚染除去モジュール１４が単独で使用されてもよく、又は、特別の適用のために求められるような他のモジュールの１つ以上とともに使用されてもよいことは認識される。
【００１３】
汚染除去モジュール１４は、パイプｌ２の外部の表面を除去するために提供される。パイプｌ２のような構造が、内部の表面２２及び外部の表面２４の両方を有していることが理解される（図１）。したがって、汚染除去モジュール１４は、ステーション３２を撤去する外部の表面、及び、ステーション３８を除去する内部の表面を含んでいる。図３で例証されるように、汚染除去モジュール１４は、入り口２８を定義する小屋２６を有している。ステーション３２を除去する外部の表面は、小屋２６の内部で配置され、パイプ１２の外部の表面２４を除去する。図示された具体例では、外部の表面のステーションが、遠心力を利用したグリッドブラスター３３のような研磨剤使用を含んでいる。入り口コンベアー３０は、小屋２６の入り口２８を通ってグリッドブラスター３３まで及んでいる。グリッドブラスター３３は、入り口コンベアー３０に関して整えられた、４つの遠心力を利用した爆破する車輪３４を含んでいる（図４）。各爆破車輪３４は、目標に鋼発射又はグリッドのような研磨剤を向けるために出口指導子３５を有している。ホッパー３６は、爆破車輪３４に研磨剤をのせるために備えられている。
【００１４】
オペレーションで、各爆破車輪３４は、パイプは入り口コンベアー３０に沿って下方にすすむように、パイプｌ２の外部の表面２４へ研磨剤を使用する。パイプ１２の層が破片の中で除去されるように、外部の表面がすりむかれる。さらに、ペンキ、汚れ、又は、グリースのようなどんな異物の材料も除去される。パイプ破片は、小さな塊又はフレークからほこりサイズの小粒までのサイズに及び、また、ペンキ及び汚れのチップのようなパイプから除去された異物のものを含んでいる。
【００１５】
ステーション３８を除去する内部の表面は、小屋２６の内部で、及び、ステーション３２を除去する外部の表面の下方に位置する。好ましい具体例では、ステーション３８を除去する内部の表面が、パイプｌ２の内部の表面２２に研磨剤を向けるためにランス４０を含んでいる。図３で例示されるように、ランス４０は１つの端へつながれたノズル４４を有する、伸びている導管４２を含んでいる。導管４２は、研磨剤（図示せず）の供給及び気圧調節された空気（図示せず）の供給に接続されている。駆動４６は、選択的にノズル４４を拡張するか撤回するために導管４２を取りつけている。
【００１６】
ステーション３８を除去する内部の表面は、さらに、パイプ１２の端を上げるために上昇台４１、及び、パイプ１２を回転させるために手段を含んでいる。上昇台４１は、要点４７に関する移動を旋回軸上に置くために支持されたベッド４５を含んでいる。マスト４８は、ベッド４５につけられ、また、水力のピストン４９はマスト４８へ付けられる。回転する手段は、好ましくは、ベッド４５上で支持され、及び、モータ（図示せず）によって回転運転されて、３つのペアの１２インチの直径ゴム車輪４３を含んでいる。オペレーションで、パイプｌ２が、ランス４０に近づくとともに、水力のピストン４９は、ベッド４５を上げるために伸びて、そのために、パイプｌ２の１つの端を上げる。その結果、図８で幻ラインで示されるように、パイプは、水平に関して傾いて（好ましくは４５度）適応させられる。ゴム車輪４３は、その後、パイプｌ２に対して圧縮され、また、パイプｌ２を回すために回転する。
【００１７】
傾いたパイプ１２が回転するとともに、パイプ１２の中へノズル４４を進めるために駆動４６は始動する。ノズル４４が、パイプｌ２に入いるとともに、研磨剤は、気圧調節され、パイプｌ２の内部の表面２２へノズル４４から放出される。ノズル４４は、パイプｌ２の最先端から後端まですすみ、その結果、内部の表面２２全体はすりむかれ、そのために、パイプ破片の形で内部の表面２２の層を除去する。パイプ１２の後端は、到達したすぐに、駆動４６は、パイプ１２からのノズル４４を撤回するために逆にされる。好ましい具体例では、小さなボールベアリング・ガイドが、ランス場が汚染除去されるパイプ１２の底内部表面に触れることを保証するために使用される。パイプｌ２からパイプの内部でのこった任意の研磨剤又はパイプの破片を除去することを支援するために、ノズルが撤回されとともに、研磨剤の供給は止められてもよく、気圧調節された空気はノズル４４から放出されてもよく、そのため、グリッドのようなどんな材料もパイプ１２内部及び端から吹きとばされる。
【００１８】
汚染除去モジュール１４は、費やされた研磨剤及びパイプ破片の蓄積及び輸送のために、さらに、コレクター５０を含んでいる。図３及び４で最もよく示されるように、コレクター５０は、グリッドブラスター３２及びグリッドランス以下に、小屋２６の内部で位置し、汚染除去モジュールｌ４の長さに沿って伸びた、ねじ駆動コンベアー５２を含んでいる。ねじ駆動コンベアー５２は、回転するベルト・バケツ・エレベータ５４によってグリッドが拾い上げられる収集ポイントへ汚染除去モジュールｌ４の正面にむかって鋼グリッドを押す。バケツ・エレベータ５４は、鋼グリッドを上の方へ運び、グリッドブラスター３３及びランス４０に研磨剤を供給することためにホッパー３６へ費やされたグリッドを排出する。
【００１９】
汚染除去モジュールｌ４のオペレーション中に、費やされた研磨剤及びパイプ破片は、ねじ駆動コンベアー５２に落ちる。研磨剤及びパイプの破片は、バケツ・エレベータ５４にねじ駆動コンベアー５２によって進められる。バケツ・エレベータ５４は、ホッパー３６へ排除するために垂直で上方に材料を運ぶ。
【００２０】
換気モジュール１６は、汚染除去モジュールｌ４で作成されたパイプ破片、及び、空輸された、いくつかの微粒子も集めるために提供される。図５で例示されるように、換気モジュールｌ６は、放射線に汚染された浪費物を輸送のために設計された強く堅いコンテナー６２の内部で好ましくは収容される。換気モジュール１６は、ほこりからパイプ破片を分けるためにサイクロン・セパレーター７８を含んでいる。サイクロン・セパレーター７８は、汚染除去モジュール１４の小屋２６に管８１によって接続された入り口８０、及び、分離された微粒子を集めるためにドラム８４に接続された底出口８２を有している。フィルタ小屋７２は、セパレーター７８の下方に接続され、また、少なくとも１つの、好ましくは４つの、ラフイングフィルタ７４及び少なくとも１つの、好ましくは４つの、核グレードのＨＥＰＡフィルタ７６を収容する。好ましい具体例では、フィルタ小屋７２が、逆流の空気の脈打ち能力を好ましくは供給される。ファン６４は、フィルタ小屋７２及び出口７０に接続された入り口６６を有している。出口管６８は、コンテナー６２の外に気流を排出するためのファンの出口７０に接続される。
【００２１】
換気モジュール１６が操作されるとき、ファン６４は、より重い研磨剤材料からパイプ破片を分けるホッパー３６によって気流を作成する。気流は、研磨剤材料を除去せずに、パイプ破片及びほこりを運び去る。パイプ破片及びほこりが含まれた空気流れ、空気流れの外及びドラム８４へより重いパイプ破片を離脱させるサイクロン・セパレーター７８を通り抜ける、しかし、ほこりは、フィルタ小屋７２を流れ続ける。フィルタ小屋７２に位置されたフィルタ７４、７６は、空気流れからほこり及び他のより軽い材料を除外する。パイプ破片及びほこりは取り除かれた空気流れは、ファン６４を通って継続し、出口管６８によって排出される。その結果、換気モジュールｌ６は、容易に使い捨てのコンテナー中のパイプ破片を集めるだけでなく、研磨剤が再使用されることを可能にする。さらに、換気モジュール１６は、消極的な圧力の下で、汚染除去モジュール１４を維持する。その結果、特にシステム１０が、放射能で汚染した構造を処理するとき、表面を除去するプロセスは完全に含まれており、そのために、安全性を増強する。
【００２２】
好ましい具体例では、特性記述モジュールｌ８が、再利用できるパイプｌ２の分析のために汚染除去モジュール１４の下方に位置する。移動コンベアー８６は、汚染除去モジュールｌ４の出口から、特性記述モジュールｌ８の入り口に及んでいる。特性記述モジュール１８は、強く堅いコンテナー８８（図６Ａ及び６Ｂ）に収容され、また、材料アナライザー９０を含んでいる（図７）。材料アナライザー９０は、４つの特性記述検知器９４を支持する小屋９２を含んでいる。様々なサイズのパイプを提供するのに調整可能なトップと側面の検知器９４で、パイプ１２のトップ、底及び両側のようにパイプ１２の特定の部分で汚染レベルを分析するために、検知器９４は、小屋９２に関して位置した。コンピュータ・ハードウェア及びソフトウェア９６は、フィードバックを集めるために材料アナライザーに付けられている。好ましい具体例では、検知器９４が、測定ガンマ線が異なる放射性核種から放射した広いエネルギー・ゲルマニウム検知器を含んでいる。ゲルマニウム検知器は、低及び高エネルギーの光子が単一の検知器に検知されることを可能にする。各検知器９４は、１平方メーターのような既知の表面エリアをおおい、また、したがって、各パイプｌ２は、適用エリアに基づいた切断面で測定されてもよい。検知器９４は、内部、外部及び内部／外部の汚染を測定するようにプログラムされてもよい。
【００２３】
コンピュータ・ハードウェア及びソフトウェア９６は、全システムのコントロールのために、Ｃａｎｂｅｒｒａ ｏｆ Ｍｅｒｉｄａｎ， Ｃｏｎｎｅｃｔｉｃｕｔによって出荷されたＧｅｎｉｅ−２０００ＴＭソフトウェアのようなエレクトロニクス、及び、自動ソフトウェアを数える、コンピュータ・コントロールされるＩＣＧ ＮＩＭを好ましくは含んでいる。ソフトウェアは、検知器９４から受け取られたデータを分析し、存在する放射性核種を比類なく識別し、量を計る。各放射性核種は、量を個々に計られ、次に、政府規制によって設立された範囲をリリースするために比較される。例えば、特定の範囲は識別されてもよく、その結果、無制限の再使用にふさわしいものとして、１つの範囲中の見解があるパイプが分類される、一方、ロー・レベルの放射性廃棄物としての処分にふさわしいものとして、別の範囲中の見解があるパイプが分類される。
【００２４】
各パイプ１２にアイデンテイファーで印をつけるために、パイプ又は材料のマーカー（図示せず）は、特性記述モジュールｌ８の下方に使用されてもよい。
【００２５】
荷を降ろすモジュール２０は、パイプに割り当てられた特性記述情報によってパイプ１２を分離するために特性記述モジュール１８の下方に提供される。最良の図１で例示するように、出口コンベアーｌＯＯは、特性記述モジュールｌ８の出口から荷を降ろすモジュール２０にパイプ１２を転送する。荷を降ろすモジュールは、分類モジュールｌ８によって割り当てられた分類に一致する第一及び第二収集ポイント１０２、１０４に関係している。例えば、第二の収集ポイントｌＯ４が、ロー・レベルの放射性廃棄物としての処分にふさわしいものとして分類されたパイプに相当している一方、第一の収集ポイント１０２は、無制限の再使用にふさわしいものとして分類されたパイプに相当してもよい。オペレーションでは、荷を降ろすモジュール２０が、特性記述情報を供給され、また、適切な収集ポイントにパイプを向ける。
【００２６】
さらに好ましい具体例では、汚染除去モジュール１４、換気モジュールｌ６及び特性記述モジュールｌ８が、希望の改善場所へ容易な輸送のために移動可能である。最良の図１で例示するように、汚染除去モジュール１４の小屋２６は、車輪１１１を有する標準のトレーラー・ベッド１１０に置かれるために分類される。同様に、換気モジュール１６は、車輪（図示せず）を有する標準サイズのトレーラー・ベッド１１２によって支持され、また、特性記述モジュール１８は車輪１１５を有するトレーラー・ベッド１１４へ付けられる。輸送中に、荷を降ろすモジュール２０も、トレーラー・ベッド（図示せず）にのせられる。トラックは、場所にシステム１０を置くか、新しい場所にシステム１Ｏを移動させるために、トレーラー・ベッド１１Ｏ，１１２，１１４に付けられてもよい。
【００２７】
本発明のさらなる形態にしたがって、構造を再利用する方法は、提供される。方法によれば、パイプ１２のような構造は、汚染除去モジュールｌ４の包囲２６の内部に置かれ、また、研磨剤は、構造の表面で使用される。図示された具体例では、パイプ１２が、最初に、破片中のパイプ１２の外部の表面２４の除去のためにグリッドブラスター３３を含むステーション３２を除去する外部の表面を通り抜ける。追加のパイプ破片を除去するために、ステーション３８を除去する内部の表面は、ランス４０を含み、内部の表面２２に研磨剤を使用する。破片は、降ろす開口５６に破片を輸送するコレクター５０に蓄積する。換気モジュールｌ６によって生成された空気流れは、鋼グリッドからパイプ破片を分ける。より軽い破片が、フィルタ７４、７６に集められる一方、より重いパイプ破片は、ドラム８４に集められるためにサイクロン・セパレーター７８によって、空気流れから分けられる。その方法は、研磨剤を使用するステップの後に、好ましくは特性記述ステップを含んでいる。特性記述ステップの間、パイプに残る汚染レベルを決定するために、パイプ１２は、特性記述モジュール１８で分析される。
【００２８】
上記のものから、本発明が、汚染された構造を処理されるために、新しく改善された統合汚染除去及び特性記述システムをもたらすことは認識される。システムは、破片として構造の内部及び外部の表面を除去する汚染除去モジュールを含んでいる。より重い破片は、承認された浪費場所で容易に配置されるコンテナーに集められる。より軽い破片は、容易に配置される一連のフィルタに集められる。そのシステムは、さらに、構造を分析し、構造で残りの汚染のレベルに関する特性記述情報を提供する特性記述モジュールを含んでいる。荷を降ろすモジュールも、特性記述モジュールで割り当てられた分類によって構造を分類するために、特性記述情報を使用することが好ましくは提供される。
【００２９】
本発明のシステムは、したがって、処分セルの中で空間を作る幾何学を有する構造の汚染された部分を、処分用のより適切な幾何学を有するコンテナー及びフィルタに集められる汚染された構造破片に変換する。さらに、構造の汚染された部分だけの除去によって、パイプは、再使用のために条件付けられてもよく、そのために、資源を保護する。特性記述モジュールを含んでいることによって、汚染除去システムが、構造が再使用にふさわしいかどうか直ちに決めることができる。
【００３０】
さらに、当業者は、発明による具体例はここに記述されたが、この特許の範囲が制限されていないことを認識する。これに反して、この特許は、文字通りに又は同等な考えの下でのいずれかある適正に追加されたクレームの範囲以内の発明の例示の図をすべて含む。
【図面の簡単な説明】
【図１】図１は、本発明による統合汚染除去及び特性記述システムの遠近図である。
【図２】図２は、図１中で示された統合汚染除去及び特性記述システムの概略図である。
【図３】図３は、統合汚染除去及び特性記述システムに組み入れられた汚染除去モジュールの部分の側面の高さの図である。
【図４】図４は、図３の４−４線に沿って得られた汚染除去モジュールの中で使用される、グリッドブラスター及びバケツ・エレベータの端の図である。
【図５】図５は、統合汚染除去及び特性記述システムに組み入れられた換気モジュールの側面の高さの図である。
【図６】図６Ａは、統合汚染除去及び特性記述システムに組み入れられた特性記述モジュールの平面図である。図６Ｂは、図６Ａ中で示された特性記述モジュールの側面の高さの図である。
【図７】図７は、図６Ａ及びＢ中で示された特性記述モジュールの中で使用される保護物及び検知器の遠近図である。
【図８】図８は、統合汚染除去及び特性記述システムに組み入れられた上昇台の部分的な概略側面図である。
【国際公開パンフレット】
2004505285.tif 000002
2004505285.tif 000003
2004505285.tif 000004
2004505285.tif 000005
2004505285.tif 000006
2004505285.tif 000007
2004505285.tif 000008
2004505285.tif 000009
2004505285.tif 000010
2004505285.tif 000011
2004505285.tif 000012
2004505285.tif 000013
2004505285.tif 000014
2004505285.tif 000015
2004505285.tif 000016
2004505285.tif 000017
2004505285.tif 000018
2004505285.tif 000019
2004505285.tif 000020
2004505285.tif 000021
2004505285.tif 000022
2004505285.tif 000023
2004505285.tif 000024
2004505285.tif 000025
2004505285.tif 000026
【国際公開パンフレット（コレクトバージョン）】
2004505285.tif 000027
【国際調査報告】
2004505285.tif 000028
2004505285.tif 000029
2004505285.tif 000030
2004505285.tif 000031
2004505285.tif 000032